(57)【要約】【課題】グランド層または電源層が設けられたプリント配線板において、特性インピーダンスの場所による変動を低減する。【解決手段】絶縁層１１の一方の面に接着層１２を介して所定の配線パターンの信号線１３を配設する。絶縁層１１の他方の面に接着層１４を介してグランド層または電源層を形成する電極面１５を配置する。信号線１３を皮膜層１６で被覆し、電極面１５を皮膜層１７で被覆する。電極面１５に配線パターンに等しいパターンを備える線状開口部１８を設ける。線状開口部１８を対応する信号線に沿って配置する。【選択図】図１
2009054876.tif 000002
【特許請求の範囲】
【請求項１】
グランド層または電源層を構成する電極面に対して、絶縁層を介して所定の配線パターンの信号線が配設されるプリント配線板であって、前記電極面には、前記信号線に沿って前記配線パターンに等しいパターンで形成される線状開口部が設けられることを特徴とするプリント配線板。
【請求項２】
前記信号線の少なくとも片側の縁辺と、これに対応する線状開口部を形成する前記電極面の片側の縁辺とが前記絶縁層を挟んで所定幅に渡って重なり合うことを特徴とする請求項１に記載のプリント配線板。
【請求項３】
前記信号線の両側の縁辺と、これに対応する前記電極面の両側の縁辺とが前記絶縁層を挟んで所定幅に渡って重なり合うことを特徴とする請求項２に記載のプリント配線板。
【請求項４】
マイクロストリップライン構造を備えることを特徴とする請求項１〜３の何れか一項に記載のプリント配線板。
【請求項５】
ストリップライン構造を備えることを特徴とする請求項１〜３の何れか一項に記載のプリント配線板。
【請求項６】
フレキシブル配線基板であることを特徴とする請求項１〜５の何れか一項に記載のプリント配線板。
【発明の詳細な説明】
【技術分野】
【０００１】
本発明は、高周波線路として用いられるプリント配線板に関し、特にマイクロストリップライン構造やストリップライン構造などを採用したプリント配線板に関する。
【背景技術】
【０００２】
高周波回路を実装するプリント配線板として、マイクロストリップラインやストリップラインなどの伝送線路が多く用いられるが、高周波を扱う場合、信号の反射や波形の歪みの発生を抑えるために伝送線路のインピーダンスを実装デバイスの入出力インピーダンスに整合させる必要がある。マイクロストリップラインやストリップラインでは、絶縁層を挟んで、ベタ電極状に形成されたグランド層や電源層に平行に信号線が配置されるため、その特性インピーダンスは、信号線の幅や厚さ、絶縁層の実効比誘電率やその厚さなどによって決定される。
【０００３】
一方、近年では電子機器の小型化にともなって、絶縁層の薄い回路基板への需要が拡大している。特にフレキシブル配線基板は、その応用性の広さから様々な分野においてその使用が拡大している。高周波線路における特性インピーダンスＺ０は、単位長さ当たりのインダクタンスとキャパシタンスをそれぞれＬ、Ｃとするとき、Ｚ０＝（Ｌ／Ｃ）１／２と表され、またキャパシタンスＣは信号線の幅に比例し、絶縁層の厚さに反比例する。そのため必要とされる特性インピーダンスを維持しながら、絶縁層を薄くするには、信号線の幅を狭くする必要がある。
【０００４】
しかし、信号線の幅を狭くするには加工上の限界がある。したがって、信号線の幅を大幅に狭くすることなく絶縁層の厚さの減少分を相殺してキャパシタンスＣの増大を抑えるために、従来ベタ電極とされていたグランド層や電源層を、全体的、あるいは部分的にメッシュ状の電極面としたものが提案されている（特許文献１〜３参照）。
【特許文献１】特開２００７−０４９０６０号公報
【特許文献２】特開２００７−１１６０１０号公報
【特許文献３】特開２００７−１４１９９０号公報
【発明の開示】
【発明が解決しようとする課題】
【０００５】
しかし、メッシュ状の電極面を用いる場合、微視的には１つの伝送線路においてもキャパシタンスＣが場所によって異なる。特にメッシュのパターンに対する信号線の配向によって、信号線の縁辺がメッシュと重なるパターンが変化するため、信号線の向きが変わるところで伝送線路の特性インピーダンスが大きく変化する場合があり、そのような部分で信号の反射、波形の歪みを発生し、伝送損失が増大する。したがって、メッシュ状の電極面を用いる構成では自由な配線パターンの設計が制限され、特に信号線が高密度に様々方向に配設される近年の回路パターンにおいては不利である。
【０００６】
本願発明は、グランド層または電源層が設けられたプリント配線板において、絶縁層が薄くても信号線の幅を大幅に狭くせずに伝送線路に要求される特性インピーダンスを確保し、更に特性インピーダンスの場所による変動を低減すことを課題としている。
【課題を解決するための手段】
【０００７】
本発明のプリント配線板は、グランド層または電源層を構成する電極面に対して、絶縁層を介して所定の配線パターンの信号線が配設されるプリント配線板であって、電極面には、信号線に沿って配線パターンに等しいパターンで形成される線状開口部が設けられることを特徴としている。
【０００８】
信号線の少なくとも片側の縁辺と、これに対応する線状開口部を形成する電極面の片側の縁辺とが絶縁層を挟んで所定幅に渡って重なり合うことが好ましく、特に信号線の両側の縁辺と、これに対応する電極面の両側の縁辺とが絶縁層を挟んで所定量に渡って重なり合うことがより好ましい。
【０００９】
プリント配線板は例えばマイクロストリップライン構造、またはストリップライン構造を備える。またプリント配線板は例えばフレキシブル配線基板である。
【発明の効果】
【００１０】
以上のように、本発明によれば、グランド層または電源層が設けられたプリント配線板において、絶縁層が薄くても信号線の幅を大幅に狭くせずに伝送線路に要求される特性インピーダンスを確保し、更に特性インピーダンスの場所による変動を低減することができる。
【発明を実施するための最良の形態】
【００１１】
以下、本発明の実施の形態を、図面を参照して説明する。
図１は、本発明の第１の実施形態であるプリント配線板の構造を示す断面図である。また図２は、プリント配線板の一部を拡大した模式的な平面図である。
【００１２】
第１の実施形態においてプリント配線板１０はマイクロストリップライン構造の例えばフレキシブル配線基板であり、絶縁層１１は厚さＤのフィルム状の可撓性絶縁素材からなる。絶縁層１１の一方の面には、接着層１２を介して所定の配線パターンの信号線１３が配設され、他方の面には接着層１４を介して電極面１５が配設されたグランド層（または電源層）が形成される。また、信号線１３および電極面１５は、それぞれ皮膜層１６、１７により被覆・保護される。
【００１３】
電極面１５は、絶縁層１１の略全体を覆うが、信号線１３の配線パターンに沿う線状の領域は開口部１８とされる。すなわち、電極面１５においては、信号線１３の配線パターンに対応した領域の導体が抜き取られ、信号線１３の配線パターンに等しいパターンの開口パターンが形成される。なお図２では、信号線１３が実線で示され、電極面１５が破線で示される。図２に示されるように、線状開口部１８を形成する電極面１５の縁辺部１５ａは、信号線１３の縁辺部１３ａに平行に配設される。
【００１４】
また本実施形態において、電極面１５に形成された線状開口部１８の幅ｗは、対応する信号線１３の幅Ｗよりも狭く形成され、その幅方向の中心は信号線１３の略中央に対応する位置に配置される。したがって、信号線１３の両側の縁辺１３ａは、それぞれ電極面１５の両側の縁辺１５ａと、幅ｄ＝（Ｗ−ｗ）／２の領域でオーバーラップする。
【００１５】
なお、伝送線路の高周波における特性インピーダンスＺ０は、例えばシングルエンドで約５０Ω、作動で約１００Ωに設定され、信号線１３とグランド層１５の間の間隔Ｄ（接着層１２、１４は無視し得るものとして）は、例えば約１０μｍ〜５０μｍに設定され、特に２５μｍ〜５０μｍに設定されることが好ましい。このとき、信号線の幅Ｗは例えば約１００μｍである。
【００１６】
以上のように、第１実施形態によれば、信号線に沿って電極面に線状開口部を設けることにより、配線パターンに係わらず伝送線路に沿った容量成分の変動を抑え、特性インピーダンスの変動を抑えることができ、伝送損失を低減することができる。また、これにより配線パターンの設計において、自由なパターンの設計が可能となる。更に、本実施形態では、配線パターンに沿った領域のみが開口部とされるので、その他の領域はベタ電極面とすることができるので、電極面の直流抵抗を十分に低減できる。
【００１７】
次ぎに、図３、４を参照して、第１実施形態の変形例について説明する。第１実施形態では、線状開口部１８の幅ｗは、信号線１３の幅Ｗよりも狭く設定されたが、図３の変形例では、幅ｗ＞Ｗとされ、図４の変形例ではｗ＝Ｗとされる。
【００１８】
また、図３の変形例では、線状開口部１８’の中心が、第１実施形態と同様に信号線１３の中心と略等しい位置に配置され、図４の変形例では、線状開口部１８”の中心が信号線１３の中心からずれた位置に配置される。図３、図４に示される変形例においても、線状開口部１８’、１８”は、信号線１３に沿って設けられるため、容量成分の変動による特性インピーダンスの変動を抑えることができ、伝送損失を低減することができる。
【００１９】
次ぎに図５を参照して、本発明の第２実施形態について説明する。第１実施形態では、マイクロストリップライン構造のプリント配線板を例に説明を行なったが、第２実施形態では、ストリップライン構造を適用した場合について説明する。なお、第１実施形態と同様の構成については、同一参照符号を用いその説明は省略する。
【００２０】
図５は、第２実施形態におけるストリップライン構造のプリント配線板の構造を模式的に示す断面図である。信号線１３は、絶縁層１９内に埋設され、所定の配線パターンに従って配設される。絶縁層１９の両面には接着層１２、１４を介して電極面２０、２１が設けられる。すなわち、信号線１３は、電極面２０、２１と各々絶縁層１９を挟んで配設される。また、電極面２０、２１には、各々信号線１３の配線パターンに沿った線状開口部２２、２３が設けられる。
【００２１】
また、第１実施形態と同様に、本実施形態では、線状開口部２２、２３の幅ｗが信号線１３の幅Ｗよりも狭く設定されるとともに、その幅方向の中心が信号線１３の略中心に配置される。なお、第１実施形態の変形例と同様に、線状開口部２２、２３の幅ｗを信号線１３の幅Ｗよりも広くあるいは等しく設定し、あるいはその中心位置を信号線１３の中心からずらして配置することも可能である。
【００２２】
図６は第２実施形態の変形例であるストリップライン構造のプリント配線板の模式的な断面図である。本変形例では、第２実施形態における電極面２０、２１の一方にのみ線状開口部を設け、他方の電極面はベタ電極とする。図６の例では、上側の電極面２０’がベタ電極とされ、下側の電極面２１にのみ線上開口部２３が設けられる。なお、本変形例も第１実施形態の変形例と組み合わせて構成することも可能である。
【００２３】
以上のように、第２実施形態やその変形例においても、第１実施形態と同様に、信号線に沿った容量成分の変動を抑え、特性インピーダンスの変動を抑えることができ、伝送損失を低減することができる。
【００２４】
本実施形態においては、フレキシブル配線基板を例に説明を行なったが、本発明は、リジッドな配線基板にも適用することができる。また、本実施形態では、信号線、電極面と絶縁層との間に接着層を設けたが、信号線、電極面が絶縁層に直接設けられる構成とすることもできる。また、絶縁層、接着層、皮膜層、信号線、電極面には、従来周知の様々な材料を様々に組み合わせて使用できる。
【図面の簡単な説明】
【００２５】
【図１】第１実施形態のプリント配線板の構成を示す断面図である。
【図２】第１実施形態のプリント配線板の模式的な部分拡大平面図である。
【図３】第１実施形態の変形例のプリント配線板の構成を示す断面図である。
【図４】第１実施形態の別の変形例のプリント配線板の構成を示す断面図である。
【図５】第２実施形態のプリント配線板の構成を示す断面図である。
【図６】第２実施形態の変形例のプリント配線板の構成を示す断面図である。
【符号の説明】
【００２６】
１０  プリント配線板
１１、１９  絶縁層
１２、１４  接着層
１３  信号線
１５、２０、２０’、２１  電極面
１６、１７  被膜層
１８、１８’、１８”、２２、２３  線状開口部
【図１】
2009054876.tif 000003
【図２】
2009054876.tif 000004
【図３】
2009054876.tif 000005
【図４】
2009054876.tif 000006
【図５】
2009054876.tif 000007
【図６】
2009054876.tif 000008